(57)【特許請求の範囲】
【請求項１】
綾巻きパッケージを製造する繊維機械の各作業部用の吸込みノズルであって、
糸切れ又はコントロールされた糸切断の後で綾巻きパッケージの表面に巻き付く糸端部を空気力式に受け取る吸込み開口を備え、該吸込み開口は、吸い込まれる糸端部を拘束するコームストリップを備えるものにおいて、
コームストリップ（１９）は、異なる高さを有する歯（２０，２１）を備え、大きな高さ（Ｈ）を有する歯（２０）は、小さな高さ（ｈ）を有する歯（２１）と交互に配置されていることを特徴とする、吸込みノズル。
【請求項２】
大きな歯（２０）は、それぞれ、相互に０．５ｍｍ〜１．０ｍｍの間隔（ａ）を有して配置されている、請求項１記載の吸込みノズル。
【請求項３】
大きな歯（２０）の高さ（Ｈ）は、０．５ｍｍ〜０．８ｍｍであり、小さな歯（２１）の高さ（ｈ）は、０．２ｍｍ〜０．４ｍｍである、請求項１記載の吸込みノズル。
【請求項４】
小さな歯（２１）は、１０°〜３０°の鋭角（α）を有している、請求項１記載の吸込みノズル。
【請求項５】
コームストリップ（１９）は、０．２ｍｍ〜０．５ｍｍの厚さ（ｔ）を有するばね鋼から製作されている、請求項１記載の吸込みノズル。
【発明の詳細な説明】
【技術分野】
【０００１】
本発明は、請求項１の前提部に記載された、綾巻きパッケージを製造する繊維機械の各作業部用の吸込みノズルに関する。
【背景技術】
【０００２】
綾巻きパッケージを製造する繊維機械、特に自動綾巻き機の運転に関して、長年、巻返しが中断する際に、例えば糸切れ、クリアラによるコントロールされた切断又は搬送パッケージ交換の際に、作業部計算機を介して、作業部独自の自動糸結合装置を作動させることが一般的である。
【０００３】
作業部計算機は、例えばドイツ連邦共和国特許出願公開第４００５７５２号明細書に記載されているように、先ずいわゆる吸込みノズルの吸込み開口をゆっくりと巻取り方向とは逆向きに回動する巻取りパッケージの表面に当接させ、負圧を加えるようにしている。その際、吸込みノズルは、その吸込み開口により、上糸の糸端部を空気力式に綾巻きパッケージとして形成された巻取りパッケージの表面から受け取るように試みる。上糸端部を把持したあとで、吸込みノズルは、旋回して、吸込みノズルの吸込み開口が糸撚り継ぎ装置の下側に位置決めされたその出発位置に戻る。その際、綾巻きパッケージと吸込みノズルとの間に延びる糸ストランドは、糸結合装置の上側に配置された電子糸クリアラに、糸結合装置の領域に位置決めされた糸クランプ装置に、並びに糸ガイド板及び糸ガイド湾曲部材の相応のガイド輪郭を通ってガイドされ、そこに、撚継ぎ装置の下側に位置する糸切断装置の鋏が進入する。
【０００４】
吸込みノズルと略同時に、下側の出発位置に位置決めされたグリッパ管は、上側の作業部に旋回し、その際、そこまで例えば糸テンション装置に保持された、搬送パッケージから繰り出された下糸を連行する。上側の作業部にグリッパ管が旋回する際に、同様に相応の糸ガイド輪郭にガイドされた下糸は、付属の開いた糸クランプ装置並びに同様に開いた糸切断装置に移動する。下糸及び上糸は、次いで精確な長さに切り落とされ、いわゆる保持・解繊管において準備され、糸撚継ぎ装置において相互に結合される。要するに、自動綾巻き機の作業部には、例えば糸切れの後で自動的に運転を継続するために、常に、綾巻きパッケージから連れ戻される上糸だけでなく搬送ボビンから到来する下糸が必要とされる。
【０００５】
前述の糸結合装置並びに付属の吸込みノズル及びグリッパ管は、実証されていて、繊維産業において以前から大量に使用されている。
【０００６】
もちろん公知の吸込みノズルでは、場合によっては綾巻きパッケージの表面に巻き付く糸端部を受け取る際に問題が生じる。このような問題は、特に綾巻きパッケージに巻き付く糸端部が比較的強くこねられ、かつ／又は例えば幾分か困難な、例えば特に多毛の（毛羽だった、絡んだ）ヤーンが存在する場合に生じる。
【０００７】
そのような取扱いが幾分か困難な糸端部を受け取る際に吸込みノズルを補助するために、既にこれまで吸込みノズルの吸込み開口の領域にコームストリップを配置することが提案されてきた。コームストリップに、吸い込まれた糸が捕捉される。
【０００８】
吸込み開口の領域におけるそのようなコームストリップを備えた吸込みノズルは公知であり、例えばドイツ連邦共和国特許出願公開第１０２００６０３９７３５号明細書、ドイツ連邦共和国特許出願公開第１０２００６０２０３５３号明細書又は欧州特許公開第０３９８４１５号明細書に割合詳しく記載されている。
【０００９】
例えばドイツ連邦共和国特許出願公開第１０２００６０３９７３５号明細書において、吸込みノズルが公知であり、この吸込みノズルは、吸込みヘッドの特別な構成に基づいて、特に好適な吸込み特性を有している。好適な吸込みノズルは、吸込み開口の領域に追加的にコームストリップを備えており、コームストリップは、吸込みノズルヘッドのカバー要素に配置されていて、相並んで配置された長さが同一の歯の列を有している。
【００１０】
ドイツ連邦共和国特許出願公開第１０２００６０２０３５３号明細書において、吸込みノズルの特別なマウスピースが記載されている。この公知のマウスピースは、吸込み開口の領域に、型押し加工により製作され曲げ加工されたニードルストリップを備えており、ニードルストリップは、いわゆるコーナープレートを用いてホットメルト接着テープによりマウスピースのガイドプレートに固定されている。ドイツ連邦共和国特許出願公開第１０２００６０２０３５３号明細書には、ニードルストリップの精確な形成に関する詳しい説明は存在しない。
【００１１】
同様に欧州特許公開第０３９８４１５号明細書において、吸込みノズルが公知であり、この吸込みノズルは、吸込み開口の領域に、それぞれコームストリップを備えている。更に欧州特許公開第０３９８４１５号明細書には、そのようなコームストリップの製造に関する方法が記載されている。この公知の方法によれば、先ず幾つかのベースプレート（ベースプレート自体には既に固定孔が設けられている）が、レーザ切断装置により、切断ラインがコーム状の経過を有するように中央で分離される。ベースプレートの分離により生じるプレート片は、その時点で切断縁の領域でそれぞれ同一の大きさの多数の歯を備えており、プレート片は、次いで複数の曲げ加工によりコームストリップに成形され、プレート片は、最終的に化学式にバリ取りされる。
【００１２】
欧州特許公開第０３９８４１５号明細書において公知のコームストリップは、その製造が比較的面倒であるだけでなく、実際には完全に納得できるものではない。
【先行技術文献】
【特許文献】
【００１３】
【特許文献１】ドイツ連邦共和国特許出願公開第１０２００６０３９７３５号明細書
【特許文献２】ドイツ連邦共和国特許出願公開第１０２００６０２０３５３号明細書
【特許文献３】欧州特許公開第０３９８４１５号明細書
【発明の概要】
【発明が解決しようとする課題】
【００１４】
背景技術から出発して、本発明の課題は、コームストリップを備えた吸込みノズルを改良して、一方では経済的に製造可能であり、他方では綾巻きパッケージに巻き付く糸端部を常に確実に受け取ることができるものを提供することである。
【課題を解決するための手段】
【００１５】
この課題を解決するために、本発明によれば、綾巻きパッケージを製造する繊維機械の各作業部用の吸込みノズルであって、糸切れ又はコントロールされた糸切断の後で綾巻きパッケージの表面に巻き付く糸端部を空気力式に受け取る吸込み開口を備え、吸込み開口は、吸い込まれる糸端部を拘束するコームストリップを備えるものにおいて、コームストリップは、光化学エッチング法で製作され、かつ異なる高さを有する歯を備え、大きな高さを有する歯は、小さな高さを有する歯と交互に配置されている。
【００１６】
好適には、大きな歯は、それぞれ、相互に０．５ｍｍ〜１．０ｍｍの間隔を有して配置されている。
【００１７】
好適には、大きな歯の高さは、０．５ｍｍ〜０．８ｍｍであり、小さな歯の高さは、０．２ｍｍ〜０．４ｍｍである。
【００１８】
好適には、小さな歯は、１０°〜３０°の鋭角を有している。
【００１９】
好適には、コームストリップは、０．２ｍｍ〜０．５ｍｍの厚さを有するばね鋼から製作されている。
【発明の効果】
【００２０】
本発明による、大きい歯と小さい歯とが交互に配置された吸込みノズルのコームストリップの製造及び構成の格別な利点によれば、小さな歯の引っ込められた配置に基づいて、綾巻きパッケージの表面に巻き付く上糸の端部が、先ず専ら大きな歯により把持され、比較的ソフトに持ち上げられ、大きな歯の側部を介して、次いで、小さな歯に移される。比較的鋭い小さな歯は、糸端部もしくは糸端部から突き出る繊維を把持し、直ちに糸を拘束する。このようにして拘束された糸は、次いで問題なくゆっくりと解き方向に回転する綾巻きパッケージから解かれる。
【００２１】
本発明による歯の配置及び構成、特にそれぞれ２つの大きな歯の間における小さな歯の引っ込められた配置の更なる利点によれば、小さな歯は、実質的に機械的な影響から保護される組込み位置にあり、その結果、小さな歯は、極めて精密に形成することができる。更に高さが同一の歯を有するコームストリップよりも大きな、大きな歯の間の歯間隔により、そのようなコームストリップは、従来一般的なコームストリップよりも汚れにくい。
【００２２】
本発明によるコームストリップを製造する、特に微細な歯幾何学形状を製造する好適な方法として、光化学エッチングが認められる。
【００２３】
この公知の方法では、短波放射で光化学プロセスが実施され、光化学プロセスにおいて、素材の露光箇所で極めて精確な材料の剥離が生じる。
【００２４】
請求項２に記載されているように、好適な構成では、大きな歯は、相互に０．５ｍｍ〜１．０ｍｍ例えば０．７ｍｍの間隔を有して配置されている。大きな歯のそのような間隔は、一方ではコームストリップが早期に汚れるのを防止し、他方ではそのような間隔により、糸端部が確実に綾巻きパッケージの表面から受け取られるよう保証される。
【００２５】
大きな歯の高さが０．５ｍｍ〜０．８ｍｍ例えば０．７ｍｍであり、小さな歯の高さが０．２ｍｍ〜０．４ｍｍである場合には、歯の高さに関して好適な条件が得られる（請求項３）。要するに、実地において相応に認められるように、小さな歯の高さが大きな歯の高さの略半分であり、大きな歯の間隔が略その高さに相当する場合には、最適な状態（比）が与えられる。
【００２６】
請求項４に記載されているように、更に好適な構成によれば、小さな歯の鋭角は、それぞれ１０°〜３０°好適には約２０°である。このような細くて小さな歯により、多くの場合に比較的毛羽立ったものである特に困難なヤーンを確実に把持することができる。
【００２７】
請求項５に記載されているように、更に好適な構成によれば、コームストリップは、好適には０．２ｍｍ〜０．５ｍｍの厚さを有するばね鋼から製作されている。自由に市場から入手可能なそのような実証済みのばね鋼は、実証された安価な材料であるだけでなく、僅かな厚さでも十分に高い強度を有している。
【００２８】
請求項に記載された、本発明による吸込みノズルのコームストリップの構成により、糸端部を受け取る際に吸込みノズルの作業能力が改善されるだけではなく、本発明によるコームストリップにより、吸込みノズルの戻し旋回に際して、例えば場合によっては受け取られる糸にみられるたるみ部分やループが梳き落とされるので、後続の糸結合過程に際して常に単繊維が存在するよう保証される。
【図面の簡単な説明】
【００２９】
【図１】本発明によるコームストリップを備えた吸込みノズルを有する、綾巻きパッケージを製造する繊維機械、図示の態様では自動綾巻き機の１つの巻返し部を概略的に示す図である。
【図２】本発明によるコームストリップを備えた吸込みノズルの吸込みノズルヘッドの斜視図である。
【図３】本発明によるコームストリップを備えた吸込みノズルを正面から示す図である。
【図４】本発明によるコームストリップの歯列の部分的な拡大図である。
【発明を実施するための形態】
【００３０】
次に、本発明の実施の形態を、図示の態様を用いて詳説する。
【００３１】
図１には、綾巻きパッケージを製造する繊維機械、図示の態様ではいわゆる自動綾巻き機１の巻返し作業部２を概略側面図で示している。
【００３２】
そのような自動綾巻き機１は、通常、列状に相並んで配置された同一の多数の巻返し部としての作業部２を備えている。作業部２に、公知でありしたがって詳説しないが、リング精紡機で生産された紡績コップ３が大容量の綾巻きパッケージ５に巻き返される。綾巻きパッケージ５は、完成後、図示していない自動で作業を行うサービスアセンブリ、好適には綾巻きパッケージ交換機により、機械長さにわたって延在している綾巻きパッケージ搬送装置７に引き渡され、機械端部側に配置されたパッケージ積込みステーション等に搬送される。
【００３３】
図示の態様に示すように、自動綾巻き機１は、多くの場合、ボビン・管搬送システム６として構成されたロジスティック装置を備えており、ボビン・管搬送システム６において、紡績コップ３もしくは空管が搬送皿１１上で循環走行する。ボビン・管ボビン搬送システム６のうち、図１には、コップ供給区間２４、可逆式に駆動可能な貯蔵区間２５、巻返し部２に通じる横搬送区間２６並びに管戻しガイド区間２７だけを示している。
【００３４】
更に自動綾巻き機１の各作業部２は、公知であり従って詳説しない、作業部２の規則的な運転にとって必要である様々な別の装置を備えている。各作業部２は、例えば作業部計算機２８を備えており、作業部計算機２８は、バス接続部２９を介して自動綾巻き機１の中央制御ユニット３０に接続されており、並びに各作業部２は、巻取り装置４を備えており、巻取り装置４は、旋回軸１２を中心に可動に支承されたパッケージ保持枠８を備えている。
【００３５】
図１から看取されるように、巻取り運転中、パッケージ保持枠８に自由回転可能に保持された綾巻きパッケージ５が、その表面で、支持・駆動ローラ９に載置され、支持・駆動ローラ９に電動モータ３３が作用する。電動モータ３３は、制御ライン３５を介して作業部計算機２８に接続されている。
【００３６】
巻取りプロセスの間に巻取り糸１６を綾振りするために、糸綾振り装置１０が設けられており、綾振り装置１０は、例えば糸ガイドフィンガ１３から成っており、糸ガイドフィンガ１３に電動モータ式の駆動装置１４が作用し、綾巻きパッケージ５に巻き取られる糸１６を、綾巻きパッケージ５の端面の間で綾振りする。糸ガイド駆動装置１４は、制御ライン１５を介して、作業部計算機２８に作用接続されている。
【００３７】
更にそのような作業部２は、糸結合装置４２、好適には空気力式の撚継ぎ装置４２と、下糸を操作するためのグリッパ管４３と、吸込みノズル１７とを備えており、吸込みノズル１７により、巻返し中断後に綾巻きパッケージ５の表面に巻き付く糸端部が受け取られ、糸結合装置４２に導入可能である。吸込みノズル１７は、例えば図２及び図３から看取されるように、吸込みノズルヘッド１８の部分に吸込み開口２３を備えており、吸込み開口２３は、本発明によるコームストリップ１９を備えている。
【００３８】
以下に、図３及び図４に基づいて本発明によるコームストリップ１９の正確な構成を詳説する。
【００３９】
図３には、吸込みノズル１７の吸込みヘッド１８を正面図で示している。吸込みヘッド１８は、吸込み開口２３を備えており、吸込み開口２３の上側の領域に、本発明によるコームストリップ１９が位置決めされている。コームストリップ１９は、幾つかの大きな歯２０と幾つかの小さな歯２１とを備えている。つまり、間隔を置いて配置された２つの大きな歯２０の間に、それぞれ１つの小さな歯２１が位置決めされている。
【００４０】
図４に拡大して示すように、大きな歯２０は、０．５ｍｍ〜０．８ｍｍ好適には０．７ｍｍの高さＨを有していて、０．５ｍｍ〜１．０ｍｍである相互間隔ａで配置されている。それぞれ２つの大きな歯２０の間に配置された小さな歯２１は、０．２ｍｍ〜０．４ｍｍの高さｈを有していて、１０°〜３０°好適には２０°の角度αを有している。要するに、小さな歯２１の歯先３１は、大きな歯２０の歯先２２に対して大きく引っ込んでいて、歯底部から出発して略半分の高さにある。
【００４１】
本発明によるコームストリップ１９は、好適には、０．２ｍｍ〜０．５ｍｍの厚さｔを有するばね鋼板から加工されている。本発明によるコームストリップを製造する好適な製造方法として、光化学エッチングが認められる。短波放射で光化学プロセス（光化学プロセスにおいて薄いばね鋼の露光箇所で極めて正確な材料の剥離が生じる）が実施されるそのような製造方法により、特に微細な歯幾何学形状を安価に製作することができる。
【符号の説明】
【００４２】
１  自動綾巻き機、  ２  作業部、  ３  紡績コップ、  ４  巻取り装置、  ５  綾巻きパッケージ、  ６  ボビン・管搬送システム、  ７  綾巻きパッケージ搬送装置、  ８  パッケージ保持枠、  ９  支持・駆動ローラ、  １０  綾振り装置、  １１  搬送皿、  １２  旋回軸、  １３  糸ガイドフィンガ、  １４  駆動装置、  １５  制御ライン、  １６  糸、  １７  吸込みノズル、  １８  吸込みノズルヘッド、  １９  コームストリップ、  ２０  大きな歯、  ２１  小さな歯、  ２２  歯先、  ２３  吸込み開口、  ２４  コップ供給区間、  ２５  貯蔵区間、  ２６  横搬送区間、  ２７  管戻しガイド区間、  ２８  作業部計算機、  ２９  バス接続部、  ３０  中央制御ユニット、  ３１  折曲げ部、  ３２  構造化された面、  ３３  電動モータ、  ３４  コームストリップ領域、  ３５  制御ライン、  ４２  糸結合装置、  ４３  グリッパ管
【図１】
0005995633.tif 000002
【図２】
0005995633.tif 000003
【図３】
0005995633.tif 000004
【図４】
0005995633.tif 000005